(57)【要約】【課題】電力線通信において、外部への通信障害と通信内容漏洩がないようにする。【解決手段】電源プラグ１につながる電源線２から分岐された分岐電源線３と、電源コンセント４から延出され電源電力と電力線通信信号との多重伝送が可能な複数の電源信号線５と、各電源信号線５と各分岐電源線３との間に挿入された分離ユニット６と、分離ユニット６から分岐され分離ユニット６で分離された電力線通信信号を伝搬する複数の信号線７と、各信号線７に接続された電力線通信制御部８Ａを備える。電力線通信制御部８Ａは、送信元の電源コンセント４と送信先の電源コンセント４とをあらかじめ設定可能で、受信した電力線通信信号に含まれる情報に基づいて設定の送信元の電源コンセントからであるかを判断し、該当する場合に限り設定の送信先の電源コンセントに対応した信号線７に電力線通信信号を送出する。【選択図】図１
2007104361.tif 000002
【特許請求の範囲】
【請求項１】
電源電力供給を受ける電源プラグと、
前記電源プラグにつながる電源線から分岐された複数の分岐電源線と、
複数の電源コンセントと、
前記複数の電源コンセントのそれぞれから延出され、電源電力と電力線通信信号との多重伝送が可能な複数の電源信号線と、
前記各電源信号線と前記各分岐電源線との間にそれぞれ挿入されて、電源電力と電力線通信信号を分離する複数の分離ユニットと、
前記複数の分離ユニットのそれぞれから前記各分岐電源線と並列に分岐され、前記分離ユニットで分離された電力線通信信号を伝搬する複数の信号線と、
前記各信号線に接続され、送信元の電源コンセントと送信先の電源コンセントとをあらかじめ設定可能で、前記信号線を介して受信した前記電力線通信信号に含まれる情報に基づいて設定の送信元の電源コンセントからの信号であるかを判断し、該当する場合に限り設定の送信先の電源コンセントに対応した前記信号線に前記電力線通信信号を送出する電力線通信制御部とを備えた電力線通信用配線器具。
【請求項２】
前記電力線通信制御部は、前記送信元の電源コンセントと送信先の電源コンセントとのあらかじめの設定について、前記電源コンセントに電源接続された情報処理端末からの操作によって設定可能に構成されている請求項１に記載の電力線通信用配線器具。
【請求項３】
電源電力供給を受ける電源プラグと、
前記電源プラグにつながる電源線から分岐された複数の分岐電源線と、
複数の電源コンセントと、
前記複数の電源コンセントのそれぞれから延出され、電源電力と電力線通信信号との多重伝送が可能な複数の電源信号線と、
前記各電源信号線と前記各分岐電源線との間にそれぞれ挿入されて、電源電力と電力線通信信号を分離する複数の分離ユニットと、
前記複数の分離ユニットのそれぞれから前記各分岐電源線と並列に分岐され、前記分離ユニットで分離された電力線通信信号を伝搬する複数の信号線と、
前記各信号線に接続され、前記電源コンセントに接続される電力線通信機器の情報をあらかじめ取得して設定可能で、前記信号線を介して受信した前記電力線通信信号に含まれる情報に基づいて送信先を割り出し、該当する送信先がある場合に限りその送信先の電力線通信機器が接続されている電源コンセントに対応した前記信号線に前記電力線通信信号を送出する電力線通信解析部とを備えた電力線通信用配線器具。
【請求項４】
さらに、外部ネットワークに対してアクセス可能な外部ネットワークインターフェイスを備え、
前記電力線通信解析部は、前記信号線を介して受信した前記電力線通信信号に含まれる情報に基づいて送信先を割り出し、前記電源コンセントのいずれにも送信先が該当しないときは、前記外部ネットワークインターフェイスを起動して前記外部ネットワークへのアクセスを試みるように構成されている請求項３に記載の電力線通信用配線器具。
【請求項５】
前記電力線通信解析部は、あらかじめ前記外部ネットワークへのアクセス許容先が設定可能で、前記電力線通信信号について割り出した送信先が前記アクセス許容先であるときに限り、前記外部ネットワークインターフェイスを起動して前記外部ネットワークへのアクセスを試みるように構成されている請求項４に記載の電力線通信用配線器具。
【請求項６】
前記外部ネットワークインターフェイスを介しての前記外部ネットワーク通信が保守に関する通信である請求項４または請求項５に記載の電力線通信用配線器具。
【請求項７】
前記外部ネットワークインターフェイスが、電源電力供給のための電源プラグにつながる電力線を利用した電力線通信である請求項４から請求項６までのいずれかに記載の電力線通信用配線器具。
【請求項８】
前記電力線通信解析部は、前記外部ネットワークへのアクセス許容先のあらかじめの設定について、前記電源コンセントに電源接続された情報処理端末からの操作によって設定可能に構成されている請求項５から請求項７までのいずれかに記載の電力線通信用配線器具。
【請求項９】
給電線に接続された電源ブレーカと、
前記電源ブレーカにつながる内側給電線から分岐された複数の分岐給電線と、
電源電力と電力線通信信号との多重伝送が可能な複数の配電信号線と、
前記各配電信号線と前記各分岐給電線との間にそれぞれ挿入されて、電源電力と電力線通信信号を分離する複数の分離ユニットと、
前記複数の分離ユニットのそれぞれから前記各分岐給電線と並列に分岐され、前記分離ユニットで分離された電力線通信信号を伝搬する複数の信号線と、
前記各信号線に接続され、送信元の配電信号線と送信先の配電信号線とがあらかじめ設定可能で、前記信号線を介して受信した前記電力線通信信号に含まれる情報に基づいて設定の送信元の配電信号線からの信号であるかを判断し、該当する場合に限り設定の送信先の配電信号線に対応した前記信号線に前記電力線通信信号を送出する電力線通信制御部とを備えた電力線通信用配電装置。
【請求項１０】
給電線に接続された電源ブレーカと、
前記電源ブレーカにつながる内側給電線から分岐された複数の分岐給電線と、
電源電力と電力線通信信号との多重伝送が可能な複数の配電信号線と、
前記各配電信号線と前記各分岐給電線との間にそれぞれ挿入されて、電源電力と電力線通信信号を分離する複数の分離ユニットと、
前記複数の分離ユニットのそれぞれから前記各分岐給電線と並列に分岐され、前記分離ユニットで分離された電力線通信信号を伝搬する複数の信号線と、
前記各信号線に接続され、前記配電信号線に接続される電力線通信機器の情報をあらかじめ取得して設定可能で、前記信号線を介して受信した前記電力線通信信号に含まれる情報に基づいて送信先を割り出し、該当する送信先がある場合に限りその送信先の電力線通信機器が接続されている配電信号線に対応した前記信号線に前記電力線通信信号を送出する電力線通信解析部とを備えた電力線通信用配電装置。
【請求項１１】
さらに、外部ネットワークに対してアクセス可能な外部ネットワークインターフェイスを備え、
前記電力線通信解析部は、前記信号線を介して受信した前記電力線通信信号に含まれる情報に基づいて送信先を割り出し、前記配電信号線のいずれにも送信先が該当しないときは、前記外部ネットワークインターフェイスを起動して前記外部ネットワークへのアクセスを試みるように構成されている請求項１０に記載の電力線通信用配電装置。
【請求項１２】
請求項９から請求項１１までのいずれかに記載の電力線通信用配電装置と、請求項１から請求項８までのいずれかに記載の電力線通信用配線器具との組み合わせからなり、前記電力線通信用配電装置の前記複数の配電信号線のそれぞれに前記電力線通信用配線器具が電源接続されている通信ネットワークシステム。
【発明の詳細な説明】
【技術分野】
【０００１】
本発明は、一般オフィスや住宅等で使用される屋内の電力線（電源線・給電線）を用いて電力供給と電力線通信信号の送受信を可能にする電力線通信用配線器具、電力線通信用配電装置および通信ネットワークシステムに関する。
【背景技術】
【０００２】
従来より、通信ネットワークを確立するための通信媒体として、各通信端末間に専用線を配設することが行われている。通信媒体として専用線を用いると、新たにネットワーク機器を導入する場合や機器を移動する場合には、配線の変更を行ったり、新たな配線を敷設したりする必要がある。一方、電力線通信では、既設の電力線を通信媒体として使用するため、新規に通信路を敷設する必要がなく、他の有線通信システムに比べて導入コストを低減できる。また、ネットワーク機器を導入する場合や、一度設置した機器を移動する場合においても、配線の追加や変更を行う必要がないという利点がある。現状、日本では電力線通信で使用する周波数帯域として１０ｋＨｚ〜４５０ｋＨｚが許容されているが、近年の高速通信への要求を満足するため、これよりも高く広い周波数帯域（例えば２ＭＨｚ〜３０ＭＨｚ）での使用が検討されている。
【０００３】
高速な電力線通信は、通信信号を高周波に変調して電力線に重畳させる（非特許文献１参照）。一般的にはスペクトル拡散技術やＯＦＤＭ（Orthogonal Frequency Division Multiplex：直交周波数分割多重）による変調が行われているが、高速な通信にはＯＦＤＭが一般的に用いられる。この場合、使用する周波数帯域に複数の搬送波を乗せ、ノイズが大きな所や他の通信が使用する周波数には電力線通信信号を乗せないことによって、既存の通信システムへの影響を排除する。
【０００４】
家庭内で電力線通信システムを構築する場合、隣家への信号漏れや外部からの信号進入を防止するために、電力線通信信号をブロックするフィルタを屋外配線と分電盤間に接続する。その技術が特許文献１に開示されている。すなわち、図９に示すように、信号受渡部４１につながる電灯線４２に複数の電源コンセント４３ａ，４３ｂ，４３ｃが設けられ、電力線通信機器５０ａ，５０ｂ，５０ｃ，を電源接続可能となっている。信号受渡部４１とコンセント４３との間で電灯線４２に信号を遮断するブロッキングフィルタ４４が挿入され、ブロッキングフィルタ４４に並列にバイパス用のスイッチ４５が設けられ、スイッチ４５の開閉制御を行う開閉制御部４６が設けられている。コンセント４３には電力線通信機器５０のプラグ５１が電源接続される。ブロッキングフィルタ４４は、信号受渡部４１経由の外部通信システムからの進入信号を遮断する。また、電力線通信機器５０が送信する信号が電灯線４２経由で信号受渡部４１に漏洩することを防ぐ。このブロッキングフィルタ４４の信号遮断機能のため、信号受渡部４２に接続される外部の電灯線システムとの通信は不可能である。開閉制御部４６によってスイッチ４５を開成すると、信号はブロッキングフィルタ４４により遮断され、外部通信システムとの通信はできない。一方、開閉制御部４６によってスイッチ４５を閉成すると、信号はスイッチ４５を経由して電灯線４２を伝搬するため、信号受渡部４１を介して外部通信システムとの通信ができるようになる。
【特許文献１】特開２００２−１１１５５５号公報（第４頁、第１図）
【非特許文献１】日経コミュニケーション  ２００５年４／１５号  Ｐ７８〜Ｐ８５
【発明の開示】
【発明が解決しようとする課題】
【０００５】
電力線通信は伝送経路に電力線を使用し、家庭用電力線はツリー上に電源コンセントを配置しているために、一つの機器が電力線通信信号を送出すると、電源ライン全てに信号が伝わってしまう。
【０００６】
電力線通信にＯＦＤＭを利用する場合、キャリアが使用する全周波数にわたってしまうために、新たに通信を実行しようとする機器が現れた場合でも、通信を実行することができない。そのためには使用するキャリア周波数を、機器ごとに分割する必要があるが、それに伴って通信の速度が落ちてしまう。
【０００７】
また、スペクトル拡散方式を使用している場合においては、他機器が送受信している信号はノイズとなり、その結果、信号のＳＮ比が悪化し、通信品質が劣化してしまう。
【０００８】
上記課題を防ぐために、ＣＳＭＡ／ＣＤ（Carrier Sense MultipleAccess with Collision Detection）などによって、通信キャリアの衝突を防ぐ方式が採用されているが、例えば、画像のストリーミングデータなどを配信するシステムなどの場合、長時間にわたって伝送経路を占有してしまい、他の機器による通信が正常に実行できなくなるおそれがある。また、他方式の電力線通信が同一ネットワーク内で同時に行われた場合、正しく通信できなくなる。
【０００９】
これらを防ぐために、高周波の帯域をフィルタリングし、必要なときのみスイッチでＯＮ／ＯＦＦする図９の方式では、機器５０ａと機器５０ｃが電力線による通信を行っている最中に、例えば機器５０ｂがインターネットへのアクセスを行おうとした場合、スイッチ４５によって電力線で使用している通信のための搬送波を外部ネットワークへ出力してしまい、この結果、外部ネットワークの電力線を使用した通信が阻害されるおそれがある。さらには、機器５０ａと機器５０ｃの通信内容が外部ネットワークへ漏出してしまう問題がある。これでは、ネットワークセキュリティを脆弱にさせ、またプライバシーが漏洩する。
【００１０】
また、各コンセントに電力線通信をＯＮ／ＯＦＦするスイッチを設ける場合には、接続されている電力線通信機器が増加すると、スイッチの組み合わせが階乗的に増加するため、構成が複雑になり、コスト増加を招く。
【００１１】
本発明は、上記の課題の解決に有用な電力線通信用配線器具、電力線通信用配電装置および通信ネットワークシステムを提供することを目的としている。
【課題を解決するための手段】
【００１２】
本発明による電力線通信用配線器具は、
電源電力供給を受ける電源プラグと、
前記電源プラグにつながる電源線から分岐された複数の分岐電源線と、
複数の電源コンセントと、
前記複数の電源コンセントのそれぞれから延出され、電源電力と電力線通信信号との多重伝送が可能な複数の電源信号線と、
前記各電源信号線と前記各分岐電源線との間にそれぞれ挿入されて、電源電力と電力線通信信号を分離する複数の分離ユニットと、
前記複数の分離ユニットのそれぞれから前記各分岐電源線と並列に分岐され、前記分離ユニットで分離された電力線通信信号を伝搬する複数の信号線と、
前記各信号線に接続され、送信元の電源コンセントと送信先の電源コンセントとをあらかじめ設定可能で、前記信号線を介して受信した前記電力線通信信号に含まれる情報に基づいて設定の送信元の電源コンセントからの信号であるかを判断し、該当する場合に限り設定の送信先の電源コンセントに対応した前記信号線に前記電力線通信信号を送出する電力線通信制御部とを備えた構成とされている。
【００１３】
この構成において、複数の電源コンセントにそれぞれ電力線通信機器のプラグが差し込まれる。電力線通信機器に対する電源電力供給については、電源線、分岐電源線、分離ユニット、電源信号線、電源コンセントを介して電源の供給が行われる。電力線通信制御部に対して、利用者はあらかじめ、どの電力線通信機器とどの電力線通信機器とを電力線通信の相手とするかを設定しておく。送信元の電力線通信機器と送信先の電力線通信機器の電源スイッチをともにオンにし、送信元の電力線通信機器から電力線通信信号を送出する。送出された電力線通信信号は、電源コンセント、電源信号線を介して分離ユニットに至る。電源信号線は分離ユニットから電源コンセントに向かう方向に電源電力を供給している。この電源信号線を伝搬して分離ユニットに至った電力線通信信号は、分離ユニットにおいて分離されて信号線の側に分流される。この信号線には電源電力は伝搬されない。信号線を伝わった電力線通信信号は電力線通信制御部に入力される。電力線通信制御部は、受信した電力線通信信号をチェックする。電力線通信信号に含まれている情報は、いずれの電源コンセントからの電力線通信信号であるか、いずれの宛先に対してのものかを判断する。この判断は、あらかじめ設定してある送信元の電源コンセントと送信先の電源コンセントとの比較においてなされる。受信した電力線通信信号があらかじめ設定の送信元の電源コンセントからのものでないときは、その電力線通信信号を無効化する。一方、該当するときには、電力線通信信号が示す宛先があらかじめ設定の送信先の電源コンセントと一致するかを判定する。不一致のときは、その電力線通信信号を無効化する。一方、一致しているときは、電力線通信制御部はその電力線通信信号を該当の送信先の電源コンセントに対応する信号線において送出する。その信号線に送出された電力線通信信号は、分離ユニットから電源信号線に入り、電源電力と多重された状態で電源信号線を伝搬し、電源コンセントから送信先の電力線通信機器へと導かれる。このようにして、利用者があらかじめ設定した電力線通信機器間においてのみ、電力線通信が実現される。
【００１４】
上記において、電源電力と電力線通信信号とが多重されているのは電源信号線においてのみである。電源コンセントから電源信号線を伝わって分離ユニットに至った電力線通信信号は、分離ユニットにおいて信号線側にのみ分流され、分岐電源線、電源線の方には伝搬されない。したがって、電力線通信信号が、通信当事者としての電源コンセント以外の電源コンセントや電力線通信用配線器具自体の電源プラグに接続の外部の電力線に漏出することはなく、他で行われている電力線通信に悪影響を与えることがない。また、通信内容が外部に漏洩することもなく、プライバシー保護が図られる。
【００１５】
上記において、前記電力線通信制御部は、前記送信元の電源コンセントと送信先の電源コンセントとのあらかじめの設定について、前記電源コンセントに電源接続された情報処理端末からの操作によって設定可能に構成されているという態様がある。これにより、利用者の操作上の利便性を向上することができる。
【００１６】
また、本発明による電力線通信用配線器具は、
電源電力供給を受ける電源プラグと、
前記電源プラグにつながる電源線から分岐された複数の分岐電源線と、
複数の電源コンセントと、
前記複数の電源コンセントのそれぞれから延出され、電源電力と電力線通信信号との多重伝送が可能な複数の電源信号線と、
前記各電源信号線と前記各分岐電源線との間にそれぞれ挿入されて、電源電力と電力線通信信号を分離する複数の分離ユニットと、
前記複数の分離ユニットのそれぞれから前記各分岐電源線と並列に分岐され、前記分離ユニットで分離された電力線通信信号を伝搬する複数の信号線と、
前記各信号線に接続され、前記電源コンセントに接続される電力線通信機器の情報をあらかじめ取得して設定可能で、前記信号線を介して受信した前記電力線通信信号に含まれる情報に基づいて送信先を割り出し、該当する送信先がある場合に限りその送信先の電力線通信機器が接続されている電源コンセントに対応した前記信号線に前記電力線通信信号を送出する電力線通信解析部とを備えた構成とされている。
【００１７】
この構成において、電力線通信解析部が上記の電力線通信制御部と相違している。電力線通信制御部の場合には、送信元の電源コンセントと送信先の電源コンセントとの組み合わせをあらかじめ設定するものである。これに対して、電力線通信解析部は、電源コンセントに接続されている電力線通信機器について、その機器の識別情報と電源コンセントとの関係をあらかじめ設定するものである。送信元の電源コンセントや送信元の電力線通信機器を設定する必要はない。電力線通信解析部は、信号線を介して受信した電力線通信信号に含まれる情報を解析し、送信先を割り出して、その送信先の電力線通信機器に対応する信号線に電力線通信信号を送出する。この場合も、上記同様に、電源電力と電力線通信信号とが多重されているのは電源信号線においてのみである。電源コンセントから電源信号線を伝わって分離ユニットに至った電力線通信信号は、分離ユニットにおいて信号線側にのみ分流され、分岐電源線、電源線の方には伝搬されない。したがって、電力線通信信号が、通信当事者としての電源コンセント以外の電源コンセントや電力線通信用配線器具自体の電源プラグに接続の外部の電力線に漏出することはなく、他で行われている電力線通信に悪影響を与えることがない。また、通信内容が外部に漏洩することもなく、プライバシー保護が図られる。
【００１８】
上記において、さらに、外部ネットワークに対してアクセス可能な外部ネットワークインターフェイスを備え、前記電力線通信解析部は、前記信号線を介して受信した前記電力線通信信号に含まれる情報に基づいて送信先を割り出し、前記電源コンセントのいずれにも送信先が該当しないときは、前記外部ネットワークインターフェイスを起動して前記外部ネットワークへのアクセスを試みるように構成されているという態様がある。当該の電力線通信用配線器具の電源コンセントに接続されている電力線通信機器どうし間での電力線通信は下位ネットワークでの通信であり、外部ネットワークインターフェイスを介しての外部ネットワークとの電力線通信は上位ネットワークでの通信である。電力線通信を利用したアクセスで、下位ネットワークへのアクセスが不成立の場合でも上位ネットワークへのアクセスを試みることができる。そして、下位ネットワークでの電力線通信の場合と同様に上位ネットワークでの電力線通信でも、電力線通信信号が外部の電力線に漏出することはなく、他で行われている電力線通信に悪影響を与えることがなく、また、プライバシー保護が図られる。
【００１９】
また、上記において、前記電力線通信解析部は、あらかじめ前記外部ネットワークへのアクセス許容先が設定可能で、前記電力線通信信号について割り出した送信先が前記アクセス許容先であるときに限り、前記外部ネットワークインターフェイスを起動して前記外部ネットワークへのアクセスを試みるように構成されているという態様がある。これによれば、外部ネットワークとの接続を限定し、ローカルネットワークの機密性と安全性を高めることが可能となる。
【００２０】
また、上記において、前記外部ネットワークインターフェイスを介しての前記外部ネットワーク通信が保守に関する通信であるという態様がある。機器のセキュリティアップデートプログラムや、機器に通信異常が発生したときのステータスデータなどについて、機密性を保持しつつ機器の安全性を確保することが可能となる。
【００２１】
また、上記において、前記外部ネットワークインターフェイスが、電源電力供給のための電源プラグにつながる電力線を利用した電力線通信であるという態様もある。
【００２２】
また、上記において、前記電力線通信解析部は、前記外部ネットワークへのアクセス許容先のあらかじめの設定について、前記電源コンセントに電源接続された情報処理端末からの操作によって設定可能に構成されているという態様がある。これによれば、ＧＵＩ（Graphical User Interface）を利用した各種の設定が可能であり、設定における利用者の利便性を図ることが可能となる。また、外部ネットワークインターフェイスを情報処理端末によって制御する構成も可能である。
【００２３】
次に、本発明による電力線通信用配電装置は、
給電線に接続された電源ブレーカと、
前記電源ブレーカにつながる内側給電線から分岐された複数の分岐給電線と、
電源電力と電力線通信信号との多重伝送が可能な複数の配電信号線と、
前記各配電信号線と前記各分岐給電線との間にそれぞれ挿入されて、電源電力と電力線通信信号を分離する複数の分離ユニットと、
前記複数の分離ユニットのそれぞれから前記各分岐給電線と並列に分岐され、前記分離ユニットで分離された電力線通信信号を伝搬する複数の信号線と、
前記各信号線に接続され、送信元の配電信号線と送信先の配電信号線とがあらかじめ設定可能で、前記信号線を介して受信した前記電力線通信信号に含まれる情報に基づいて設定の送信元の配電信号線からの信号であるかを判断し、該当する場合に限り設定の送信先の配電信号線に対応した前記信号線に前記電力線通信信号を送出する電力線通信制御部とを備えた構成とされている。
【００２４】
この電力線通信用配電装置は、上記の電力線通信制御部を備えた電力線通信用配線器具に代わるものであり、直接の構成要素として電源コンセントを含んでいない。電源電力と電力線通信信号とが多重されているのは配電信号線においてのみである。電力線通信機器から配電信号線を伝わって分離ユニットに至った電力線通信信号は、分離ユニットにおいて信号線側にのみ分流され、分岐給電線、内側給電線の方には伝搬されない。したがって、電力線通信信号が、通信当事者としての配電信号線以外の配電信号線や内側給電線に接続の外部の給電線に漏出することはなく、他で行われている電力線通信に悪影響を与えることがない。また、通信内容が外部に漏洩することもなく、プライバシー保護が図られる。
【００２５】
また、本発明による電力線通信用配電装置は、
給電線に接続された電源ブレーカと、
前記電源ブレーカにつながる内側給電線から分岐された複数の分岐給電線と、
電源電力と電力線通信信号との多重伝送が可能な複数の配電信号線と、
前記各配電信号線と前記各分岐給電線との間にそれぞれ挿入されて、電源電力と電力線通信信号を分離する複数の分離ユニットと、
前記複数の分離ユニットのそれぞれから前記各分岐給電線と並列に分岐され、前記分離ユニットで分離された電力線通信信号を伝搬する複数の信号線と、
前記各信号線に接続され、前記配電信号線に接続される電力線通信機器の情報をあらかじめ取得して設定可能で、前記信号線を介して受信した前記電力線通信信号に含まれる情報に基づいて送信先を割り出し、該当する送信先がある場合に限りその送信先の電力線通信機器が接続されている配電信号線に対応した前記信号線に前記電力線通信信号を送出する電力線通信解析部とを備えた構成とされている。
【００２６】
この電力線通信用配電装置は、上記の電力線通信解析部を備えた電力線通信用配線器具に代わるものであり、直接の構成要素として電源コンセントを含んでいない。上記と同様に、電力線通信信号が、通信当事者としての配電信号線以外の配電信号線や内側給電線に接続の外部の給電線に漏出することはなく、他で行われている電力線通信に悪影響を与えることがない。また、通信内容が外部に漏洩することもなく、プライバシー保護が図られる。
【００２７】
上記において、さらに、外部ネットワークに対してアクセス可能な外部ネットワークインターフェイスを備え、前記電力線通信解析部は、前記信号線を介して受信した前記電力線通信信号に含まれる情報に基づいて送信先を割り出し、前記配電信号線のいずれにも送信先が該当しないときは、前記外部ネットワークインターフェイスを起動して前記外部ネットワークへのアクセスを試みるように構成されているという態様がある。電力線通信を利用したアクセスで、下位ネットワークへのアクセスが不成立の場合でも上位ネットワークへのアクセスを試みることができる。そして、下位ネットワークでの電力線通信の場合と同様に上位ネットワークでの電力線通信でも、電力線通信信号が外部の電力線に漏出することはなく、他で行われている電力線通信に悪影響を与えることがなく、また、プライバシー保護が図られる。
【００２８】
さらに、本発明による通信ネットワークシステムは、上記のいずれかの電力線通信用配電装置と、上記のいずれかの電力線通信用配線器具との組み合わせからなり、前記電力線通信用配電装置の前記複数の配電信号線のそれぞれに前記電力線通信用配線器具が電源接続されているものである。
【発明の効果】
【００２９】
本発明によれば、高速で電力線通信を行う電力線通信機器を限定することにより、ツリー状に構成された電力線（電源線・給電線）においても必要配線のみに電力線通信信号が出力されることで、通信品質の向上を図ることが可能となる。また、電力線通信信号が外部へ漏出せず、情報の漏洩防止やプライバシーの確保を図ることが可能となる。
【発明を実施するための最良の形態】
【００３０】
以下、本発明の実施の形態を図面に基づいて詳細に説明する。
【００３１】
（実施の形態１）
図１は本発明の実施の形態１における電力線通信用配線器具の構成を示すブロック図である。
【００３２】
この電力線通信用配線器具Ａ１は、電源電力供給を受ける電源プラグ１と、電源プラグ１から延出された電源線２と、電源線２の複数箇所から分岐された分岐電源線３ａ，３ｂ，３ｃ，３ｄと、複数の電源コンセント４ａ，４ｂ，４ｃ，４ｄと、電源コンセント４ａ，４ｂ，４ｃ，４ｄのそれぞれから延出された電源信号線５ａ，５ｂ，５ｃ，５ｄと、各電源信号線５ａ，５ｂ，５ｃ，５ｄと各分岐電源線３ａ，３ｂ，３ｃ，３ｄとの間にそれぞれ挿入されて電源電力と電力線通信信号とを分離、多重する機能を持つ複数の分離ユニット６ａ，６ｂ，６ｃ，６ｄと、分離ユニット６ａ，６ｂ，６ｃ，６ｄのそれぞれから分岐電源線３ａ，３ｂ，３ｃ，３ｄと並列に分岐された複数の信号線７ａ，７ｂ，７ｃ，７ｄと、各信号線７ａ，７ｂ，７ｃ，７ｄに接続された電力線通信制御部８Ａとを備えている。この例では、電源コンセントを４つ実装している場合を示している。各電源コンセント４ａ，４ｂ，４ｃ，４ｄには電力線通信機器９ａ，９ｂ，９ｃ，９ｄの電源プラグ１０ａ，１０ｂ，１０ｃ，１０ｄが接続可能となっている。電源プラグ１からの電力は、電源線２、分岐電源線３、分離ユニット６および電源信号線５、電源コンセント４を介して電力線通信機器９に供給されるようになっている。各電力線通信機器９と電力線通信制御部８Ａとは、信号線７を介して電力線通信信号の送受信が行われるように構成されている。
【００３３】
電力線通信制御部８Ａは、記録媒体（半導体メモリや磁気ディスクなど）を内蔵している。電力線通信制御部８Ａは、定期的に（例えば決められた時間間隔で）、電源コンセント４に接続されている電力線通信機器９の接続情報を入手し、その固有情報を内蔵の記録媒体に格納する。固有情報としては、一般的にはＭＡＣ（Media Access Controller）アドレスなどが考えられる。この固有情報は、定期的に取得するほか、利用者が所望するときに操作して取得することも可能である。
【００３４】
利用者は、あらかじめ、電力線通信制御部８Ａに、どの電力線通信機器９とどの電力線通信機器９との通信を許可するかを設定しておく。その設定した情報は内蔵の記録媒体に格納される。
【００３５】
電力線通信機器９の電源プラグ１０を電力線通信用配線器具Ａ１における電源コンセント４に差し込むと、電力線通信機器９から電力線通信信号が電源コンセント４に送出され、さらに電源信号線５を介して分離ユニット６によって抽出され、信号線７を介して電力線通信制御部８Ａに入力される。通信内容には送信元情報と送信先情報が格納されている。電力線通信制御部８Ａは、その情報を抽出し、あらかじめ設定されている電源コンセントからの信号であるかを判断し、該当する場合には送信先の電源コンセントへ電力線通信信号を出力する。設定に該当しない場合には、いずれの電源コンセントにも電力線通信信号は出力されない。
【００３６】
電力線通信制御部８Ａでは、複数の電源コンセント間における電力線通信の設定が可能である。例えば、電源コンセント４ａと電源コンセント４ｂ間の通信に加えて、電源コンセント４ｃと電源コンセント４ｄ間の通信も同時に設定可能である。また、電源コンセント４ａと電源コンセント４ｂ、電源コンセント４ｃの３点間における通信設定も可能とする。
【００３７】
この構成をとることにより、電力線通信用配線器具Ａ１に電源接続されている電力線通信機器９のうち、利用者があらかじめ設定した電力線通信機器９間の電力線にのみ電力線通信信号が搬送される。また、複数の機器間でも、自らが送受信を行う電力線通信信号のみが自らの電力線に出力される。このことにより、通信品質の向上を図ることが可能となり、他通信に影響を及ぼす電波の漏洩を最小限にすることができる。
【００３８】
具体的には、電力線通信制御部８Ａにおいてあらかじめ、電源コンセント４ａと電源コンセント４ｃとの間の電力線通信が設定されているとする。電力線通信機器９ａ，９ｃは、電力をそれぞれ、電源プラグ１、電源線２、分岐電源線３ａ，３ｃ、分離ユニット６ａ，６ｃ、電源信号線５ａ，５ｃを介して電源コンセント４ａ，４ｃから受け取る。電源コンセント４ａに接続されている電力線通信機器９ａを起動して電力線通信信号を送出すると、その電力線通信信号は、電源コンセント４ａ、電源信号線５ａ、分離ユニット６ａ、信号線７ａを介して電力線通信制御部８Ａに到達する。このとき、分離ユニット６ａの存在により、電力線通信信号は分岐電源線３ａの方には入らない。したがって、電源線２を介して電力線通信信号が他の電源コンセント４および電源プラグ１が接続されている外部に伝わることはない。電力線通信制御部８Ａは、受け取った電力線通信信号の通信内容に含まれている送信元情報と送信先情報を確認する。そして、送信元情報があらかじめ設定されたものと一致するか否かを判断し、不一致のときは電力線通信信号の伝搬を禁止するが、一致しているときは、さらに送信先情報があらかじめ設定されたものと一致するか否かを判断し、不一致のときは電力線通信信号の伝搬を禁止するが、一致しているときは、その電力線通信信号を送信先の電源コンセント４ｃに向けて送出する。すなわち、信号線７ｃ、分離ユニット６ｃ、電源信号線５ｃから電源コンセント４ｃに到達し、さらに電力線通信機器９ｃへと至る。このとき、信号線７ｃは分岐電源線３ａ，３ｂ，３ｃ，３ｄとは分離されているので、電源線２を介して電力線通信信号が他の電源コンセント４および電源プラグ１が接続されている外部に伝わることはない。電力線通信機器９ｃから電力線通信機器９ａに応答することがあるシステムでは、上記とは逆の過程で電力線通信信号が伝搬される。
【００３９】
図２は、本実施の形態の電力線通信用配線器具Ａ１を利用したシステムの一例を示す。電力線通信用配線器具Ａ１にテレビ９Ｂと動画プレイヤー９ＤとＡＶアンプ９Ａが接続されている。図１との対応関係では、テレビ９Ｂの電源プラグは第２の電源コンセント４ｂに差し込まれ、動画プレイヤー９Ｄの電源プラグは第４の電源コンセント４ｄに差し込まれ、ＡＶアンプ９Ａの電源プラグは第１の電源コンセント４ａに差し込まれて。利用者は、あらかじめの設定により、動画プレイヤー９Ｄからテレビ９Ｂへの電力線通信を電力線通信用配線器具Ａ１に設定しておく。そして、動画プレイヤー９Ｄとテレビ９Ｂの電力線通信をＯＮにする。動画プレイヤー９Ｄからの電力線通信信号が電源コンセント４ｄに入力され、電源信号線５ｄを介して分離ユニット６ｄで信号線７ｄに分離される。これで、電力線通信信号は電源線２の方には伝搬しないように制御される。信号線７ｄに分離伝搬された電力線通信信号は電力線通信制御部８Ａに入力され、チェックを受ける。その電力線通信信号があらかじめ設定されたものであることが確認され、送信先である電源コンセント４ｂに対して信号線７ｂを介して電力線通信信号を送出する。分離ユニット６ｂにおいて、電力線通信信号は電源電力に多重され、電源信号線５ｂを介してテレビ９Ｂへと送出される。これにより、動画プレイヤー９Ｄで再生された映像信号がテレビ９Ｂに伝えられ、画像の視聴が可能となる。
【００４０】
このとき、動画プレイヤー９Ｄからの電力線通信信号は、他の電源コンセント４ｃ，４ａに出力されることはないので、他で行われている電力線通信に悪影響を与えることがない。また、動画プレイヤー９Ｄからの電力線通信信号は、分離ユニット６ｄの働きにより、電源線２に伝搬することが抑止され、電源プラグ１に出力されることはない。したがって、利用者は、自分が視聴している画像を他人に知られることがなくなり、プライバシー保護を図ることが可能となる。
【００４１】
（実施の形態２）
図３は本発明の実施の形態２における電力線通信用配線器具の構成を示すブロック図である。
【００４２】
本実施の形態の電力線通信用配線器具Ａ２は、図１に示す実施の形態１における電力線通信制御部８Ａに代えて電力線通信解析部８Ｂを備えている。電力線通信解析部８Ｂは、到着した電力線通信信号を解析し、送信先情報が電源コンセント４ａ，４ｂ，４ｃ，４ｄのいずれかに接続されている電力線通信機器を指示する情報と一致するかを判断し、一致する情報があれば、その電源コンセント４に対して電力線通信信号を出力するようになっている。一致しない場合は、宛先不明として、他の電源コンセントに対する電力線通信信号の送出は行わない。その他の構成については図１と同様であるので、同一部分に同一符号を付すにとどめ、説明を省略する。
【００４３】
図２のシステムで具体例を説明する。動画プレイヤー９Ｄからの映像データおよび音声データが電源コンセント４ｄに入力され、電源信号線５ｄを介して分離ユニット６ｄで信号線７ｄに分離される。これで、映像データおよび音声データは電源線２の方には伝搬しないように制御される。信号線７ｄに分離伝搬された映像データおよび音声データは電力線通信解析部８Ｂに入力され、チェックを受ける。その映像データはその送信先が電源コンセント４ｂであると判断され、信号線７ｂに送出され、分離ユニット６ｂにおいて、電力線通信信号は電源電力に多重され、電源信号線５ｂを介してテレビ９Ｂへと送出される。一方、音声データはその送信先が電源コンセント４ａであると判断され、信号線７ａに送出され、分離ユニット６ａにおいて、電力線通信信号は電源電力に多重され、電源信号線５ａを介してＡＶアンプ９Ａへと送出される。これにより、動画プレイヤー９Ｄで再生された映像信号および音声信号がテレビ９ＢとＡＶアンプ９Ａに伝えられ、再生映像の視聴が可能となる。音声データはテレビ９Ｂへは出力されず、映像データはＡＶアンプ９Ａへは出力されない。
【００４４】
映像データと音声データは他の電源コンセントや電源プラグにも出力されることはないので、他で行われている電力線通信への影響を排除することができる。また、利用者は自分が視聴している画像、音声を他人に知られることがなくなり、プライバシーの保護を図ることが可能となる。
【００４５】
（実施の形態３）
図４は本発明の実施の形態３における電力線通信用配線器具の構成を示すブロック図である。
【００４６】
本実施の形態の電力線通信用配線器具Ａ３は、図３に示す実施の形態２において、さらに、外部ネットワーク１２とのインターフェイスを行う外部ネットワークインターフェイス１１を備えている。外部ネットワークインターフェイス１１には、イーサネット(登録商標）Ｅｔｈｅｒｎｅｔ（登録商標）や無線ＬＡＮ通信などが想定される。その他の構成については図３と同様であるので、同一部分に同一符号を付すにとどめ、説明を省略する。
【００４７】
本実施の形態の電力線通信用配線器具Ａ３においては、電力線通信解析部８Ｂは、電力線通信機器９から受信した通信内容から通信相手を判断し、その通信相手が電力線通信用配線器具Ａ３に接続されているならば、実施の形態２と同様の処理を行うが、接続されていない場合には、外部ネットワークインターフェイス１１を利用して外部ネットワーク１２へのアクセスを行う。すなわち、実施の形態２の効果に加えて、上位ネットワークへのアクセスを可能にすることで、一層の利便性を図っている。
【００４８】
上記において、電力線通信解析部８Ｂに外部ネットワーク１２へのアクセス許可情報を保持させるようにし、通信相手が電源コンセント４に接続されている電力線通信機器９群にない場合には、アクセス許可情報に示す通信相手か否かを判断し、一致するときに限り外部ネットワークインターフェイス１１を起動して外部ネットワーク１２との通信を許可するものである。外部アクセス先は利用者が設定する。このようにすることにより、外部ネットワーク１２との接続を限定し、ローカルネットワークの機密性と安全性を高めることが可能となる。
【００４９】
また、上記において、外部ネットワーク１２へのアクセス許可情報を機器の接続情報や保守情報とする。保守情報とは、例えば機器のセキュリティアップデートプログラムや、機器に通信異常が発生したときのステータスデータなどである。このようにすることにより、機器の接続情報や保守情報のみを上位ネットワークへ出力し、その他の通信は遮断する。電力線通信ネットワークの機密性を保持しつつ、異常時データやセキュリティ強化プログラムのみを上位ネットワークと通信することが可能となり、機器の安全性や利便性を図ることが可能となる。
【００５０】
また、図５に示すように、電力線通信用配線器具Ａ３における設定を、電力線通信用配線器具Ａ３の電源コンセント４に接続した情報処理端末９Ｃによって行うように構成することも可能である。
【００５１】
情報処理端末９Ｃにおいて、ＧＵＩを利用した各種の設定が可能であり、設定における利用者の利便性を図ることが可能となる。例えば、内蔵の電力線通信制御部８Ａへｈｔｔｐｄサービスを実装し、これを情報処理端末９Ｃ上で動作するＷＥＢブラウザによって参照し、設定を行うことができる。さらに、外部ネットワークインターフェイス１１を情報処理端末９Ｃによって制御する構成も可能である。
【００５２】
（実施の形態４）
本発明の実施の形態４は、電力線通信用配電装置に関するものである。これは、上記の実施の形態における電力線通信用配線器具の技術を電力線通信用配電装置に適用したものに相当する。図６は実施の形態４における電力線通信用配電装置Ｂ１の構成を示すブロック図である。実施の形態１における電源プラグ１に代えて給電線２１となっている。また、電源コンセント４はない。
【００５３】
電力線通信用配電装置Ｂ１は、電力供給を行う給電線２１と、給電線２１に設けられた電源ブレーカ２２と、電源ブレーカ２２より内側の内側給電線２３と、内側給電線２３の複数箇所から分岐された分岐給電線２４ａ，２４ｂ，２４ｃと、複数の配電信号線２５ａ，２５ｂ，２５ｃと、各配電信号線２５ａ，２５ｂ，２５ｃと各分岐給電線２４ａ，２４ｂ，２４ｃとの間にそれぞれ挿入されて電源電力と電力線通信信号とを分離、多重する機能を持つ複数の分離ユニット２６ａ，２６ｂ，２６ｃと、分離ユニット２６ａ，２６ｂ，２６ｃのそれぞれから分岐給電線２４ａ，２４ｂ，２４ｃと並列に分岐された複数の信号線２７ａ，２７ｂ，２７ｃと、各信号線２７ａ，２７ｂ，２７ｃに接続された電力線通信制御部２８Ａとを備えている。なお、各配電信号線２５ａ，２５ｂ，２５ｃの先には電源コンセントが設けられ、さらに電力線通信機器９が接続可能となっている。
【００５４】
内側給電線２３からの電力は、分岐給電線２４、分離ユニット２６および配電信号線２５を介して電力線通信機器９に供給されるようになっている。各電力線通信機器９と電力線通信制御部２８Ａとは、信号線２７を介して電力線通信信号の送受信が行われるように構成されている。
【００５５】
電力線通信制御部２８Ａは、記録媒体（半導体メモリや磁気ディスクなど）を内蔵している。電力線通信制御部２８Ａは、定期的に、接続されている電力線通信機器９の接続情報を入手し、その固有情報を内蔵の記録媒体に格納する。固有情報としては、ＭＡＣアドレスなどが考えられる。この固有情報は、定期的に取得するほか、利用者が所望するときに操作して取得することも可能である。
【００５６】
利用者は、あらかじめ、電力線通信制御部２８Ａに、どの電力線通信機器９とどの電力線通信機器９との通信を許可するかを設定しておく。その設定した情報は内蔵の記録媒体に格納される。
【００５７】
電力線通信制御部２８Ａにおいてあらかじめ、配電信号線２５ａと配電信号線２５ｃとの間の電力線通信が設定されているとする。電力線通信機器９ａ，９ｃは、電力をそれぞれ、内側給電線２３、分岐給電線２４ａ，２４ｃ、分離ユニット２６ａ，２６ｃ、配電信号線２５ａ，２５ｃを介して受け取る。配電信号線２５ａに接続されている電力線通信機器９ａを起動して電力線通信信号を送出すると、その電力線通信信号は、配電信号線２５ａ、分離ユニット２６ａ、信号線２７ａを介して電力線通信制御部２８Ａに到達する。このとき、分離ユニット２６ａの存在により、電力線通信信号は分岐給電線２４ａの方には入らない。したがって、内側給電線２３を介して電力線通信信号が他の配電信号線２５および給電線２１が接続されている外部に伝わることはない。電力線通信制御部２８Ａは、受け取った電力線通信信号の通信内容に含まれている送信元情報と送信先情報を確認する。そして、送信元情報があらかじめ設定されたものと一致するか否かを判断し、不一致のときは電力線通信信号の伝搬を禁止するが、一致しているときは、さらに送信先情報があらかじめ設定されたものと一致するか否かを判断し、不一致のときは電力線通信信号の伝搬を禁止するが、一致しているときは、その電力線通信信号を送信先の配電信号線２５ｃに向けて送出する。すなわち、信号線２７ｃ、分離ユニット２６ｃ、配電信号線２５ｃに到達し、さらに電力線通信機器９ｃへと至る。このとき、信号線２７ｃは分岐給電線２４ａ，２４ｂ，２４ｃとは分離されているので、内側給電線２３を介して電力線通信信号が他の配電信号線２５および給電線２１が接続されている外部に伝わることはない。電力線通信機器９ｃから電力線通信機器９ａに応答することがあるシステムでは、上記とは逆の過程で電力線通信信号が伝搬される。
【００５８】
以上のように、必要となる配電信号線にのみ電力線通信信号が出力されるので、他の配電信号線で行われている電力線通信に影響を与えることがなくなり、通信品質の向上を図ることが可能となる。また、下位ネットワークの通信内容は上位ネットワークへ出力されることはないので、通信の機密性を図ることが可能である。
【００５９】
（実施の形態５）
図７は本発明の実施の形態５における電力線通信用配電装置の構成を示すブロック図である。
【００６０】
本実施の形態の電力線通信用配電装置Ｂ２は、図６に示す実施の形態４における電力線通信制御部２８Ａに代えて電力線通信解析部２８Ｂを備えている。電力線通信解析部２８Ｂは、到着した電力線通信信号を解析し、送信先情報が配電信号線２５ａ，２５ｂ，２５ｃのいずれかに接続されている電力線通信機器を指示する情報と一致するかを判断し、一致する情報があれば、その配電信号線２５に対して電力線通信信号を出力するようになっている。一致しない場合は、宛先不明として、他の配電信号線に対する電力線通信信号の送出は行わない。さらに、外部ネットワーク３０とのインターフェイスを行う外部ネットワークインターフェイス２９を備えている。その他の構成については図６と同様であるので、同一部分に同一符号を付すにとどめ、説明を省略する。
【００６１】
本実施の形態の電力線通信用配電装置Ｂ２においては、電力線通信解析部２８Ｂは、電力線通信機器９から受信した通信内容から通信相手を判断し、その通信相手が電力線通信用配電装置Ｂ２に接続されているならば、実施の形態４と同様の処理を行うが、接続されていない場合には、外部ネットワークインターフェイス２９を利用して外部ネットワーク３０へのアクセスを行う。すなわち、実施の形態４の効果に加えて、上位ネットワークへのアクセスを可能にすることで、一層の利便性を図っている。
【００６２】
なお、利用者が外部ネットワークへアクセスする通信先を限定することを可能とすることで、下位ネットワークの機密性と安全性をさらに高めることが可能となる。
【００６３】
（実施の形態６）
本発明の実施の形態６は、電力線通信用配電装置と電力線通信用配線器具を組み合わせからなる通信ネットワークシステムについてのものである。図８に示すように、電力線通信用配電装置Ｂ２（またはＢ１）の配電信号線２５ａ，２５ｂ，２５ｃにそれぞれ電力線通信用配線器具Ａ１を接続し、電力線通信用配線器具Ａ１からテレビ３１、動画プレイヤー３２、情報処理端末３３，３４を接続している。給電線２１から電力線通信用配電装置Ｂ２を通じてさらに下位の電力線通信用配線器具Ａ１へ給電が行われる。電力線通信用配電装置Ｂ１は外部ネットワークへのアクセスが可能である。電力線通信用配線器具Ａ１は外部ネットワークへのインターフェイスが電力線通信を利用するものである。
【００６４】
本実施の形態によれば、ローカルエリアネットワークで利用される電力線通信において、必要となる配線にのみ電力線通信信号が出力され、他方の電力線通信の品質を下げることを防ぐことが可能である。また、上位ネットワークへの通信については、電力線通信用配電装置Ｂ２が許容するもののみ通信が行われ、ローカルエリアネットワーク内の機密性を高めることが可能となる。
【００６５】
なお、送信先が特定できない場合に、送信先が特定できないことを送信元である電源コンセントまたは配電信号線に通知する方式であっても良い。
【産業上の利用可能性】
【００６６】
本発明の電力線通信用配線器具、電力線通信用配電装置は、通信の品質を高め、かつ通信内容の秘匿性を高める効果を有し、電力線通信を利用したネットワーク機器等として有用である。
【図面の簡単な説明】
【００６７】
【図１】本発明の実施の形態１における電力線通信用配線器具の構成を示すブロック図
【図２】本発明の実施の形態１の電力線通信用配線器具を利用したシステムの一例を示す図
【図３】本発明の実施の形態２における電力線通信用配線器具の構成を示すブロック図
【図４】本発明の実施の形態３における電力線通信用配線器具の構成を示すブロック図
【図５】本発明の実施の形態３の電力線通信用配線器具を利用したシステムの一例を示す図
【図６】本発明の実施の形態４における電力線通信用配電装置の構成を示すブロック図
【図７】本発明の実施の形態５における電力線通信用配電装置の構成を示すブロック図
【図８】本発明の実施の形態６における通信ネットワークシステムの構成を示すブロック図
【図９】従来の技術における電力線通信用配線器具の構成を示すブロック図
【符号の説明】
【００６８】
Ａ１，Ａ２，Ａ３  電力線通信用配線器具
Ｂ１，Ｂ２  電力線通信用配電装置
１  電源プラグ
２  電源線
３ａ，３ｂ，３ｃ，３ｄ  分岐電源線
４ａ，４ｂ，４ｃ，４ｄ  電源コンセント
５ａ，５ｂ，５ｃ，５ｄ  電源信号線
６ａ，６ｂ，６ｃ，６ｄ  分離ユニット
７ａ，７ｂ，７ｃ，７ｄ  信号線
８Ａ  電力線通信制御部
８Ｂ  電力線通信解析部
９ａ，９ｂ，９ｃ，９ｄ  電力線通信機器
１１  外部ネットワークインターフェイス
１２  外部ネットワーク
２１  給電線
２２  電源ブレーカ
２３  内側給電線
２４ａ，２４ｂ，２４ｃ，２４ｄ  分岐給電線
２５ａ，２５ｂ，２５ｃ，２５ｄ  配電信号線
２６ａ，２６ｂ，２６ｃ，２６ｄ  分離ユニット
２７ａ，２７ｂ，２７ｃ，２７ｄ  信号線
２８Ａ  電力線通信制御部
２８Ｂ  電力線通信解析部
２９  外部ネットワークインターフェイス
３０  外部ネットワーク
３３，３４  情報処理端末
【図１】
2007104361.tif 000003
【図２】
2007104361.tif 000004
【図３】
2007104361.tif 000005
【図４】
2007104361.tif 000006
【図５】
2007104361.tif 000007
【図６】
2007104361.tif 000008
【図７】
2007104361.tif 000009
【図８】
2007104361.tif 000010
【図９】
2007104361.tif 000011